(57)【特許請求の範囲】
【請求項１】
複数の表示部と、
有価媒体の処理に関する情報を複数の前記表示部に分割して表示させる制御部と、
を備え、
複数の前記表示部のうち少なくとも１つの前記表示部は、操作者により操作可能となっている操作表示部であり、
前記操作表示部には複数の処理項目が表示されるようになっており、この操作表示部に表示される複数の処理項目のうち何れかの処理項目が選択されるとこの選択された処理項目に対応する内容が他方の前記表示部に表示されるようになっており、
前記操作表示部において、他方の前記表示部の表示内容に対応する処理項目とは異なる処理項目が選択されると、当該処理項目に対応する内容が他方の前記表示部に表示されるようになっている、有価媒体処理装置。
【請求項２】
各前記表示部は同一の形状および大きさである、請求項１記載の有価媒体処理装置。
【請求項３】
各前記表示部は並列に配置されている、請求項１または２記載の有価媒体処理装置。
【請求項４】
操作者によって前記操作表示部が操作されることにより他の前記表示部の表示内容を変更することができるようになっている、請求項３記載の有価媒体処理装置。
【請求項５】
前記操作表示部には複数の処理項目が表示されるようになっており、前記操作表示部に表示される複数の処理項目のうち何れかの処理項目が選択されるとこの選択された処理項目に対応する内容が他の前記表示部に表示されるようになっている、請求項４記載の有価媒体処理装置。
【請求項６】
前記操作表示部に表示される複数の前記処理項目は、前記有価媒体処理装置において行われる所定の処理を複数の工程に分解したものであり、前記有価媒体処理装置において複数の前記処理項目が順に行われるようになっている、請求項５記載の有価媒体処理装置。
【請求項７】
複数の前記表示部のうち少なくとも１つの前記表示部において、有価媒体の処理に関する情報が表示される際に、複数の画面が連続的に切り替わるようになっている、請求項１乃至６のいずれか一項に記載の有価媒体処理装置。
【請求項８】
複数の前記表示部のうち少なくとも１つの前記表示部に、貨幣の処理に関する情報が表示されるようになっており、他の少なくとも１つの前記表示部に、貨幣以外の有価媒体の処理に関する情報が表示されるようになっている、請求項１乃至７のいずれか一項に記載の有価媒体処理装置。
【請求項９】
複数の前記表示部のうち少なくとも１つの前記表示部に、硬貨の処理に関する情報が表示されるようになっており、他の少なくとも１つの前記表示部に、紙幣の処理に関する情報が表示されるようになっている、請求項１乃至８のいずれか一項に記載の有価媒体処理装置。
【請求項１０】
前記有価媒体処理装置が待機状態となっているときに、複数の前記表示部のうち少なくとも１つの前記表示部には、前記有価媒体処理装置の装置情報を示す画面を含む複数の画面が自動的に切り替え表示されるようになっている、請求項１乃至３のいずれか一項に記載の有価媒体処理装置。
【請求項１１】
複数の前記表示部のうち少なくとも１つの前記表示部は、操作者により操作可能となっている操作表示部であり、
前記操作表示部とは別の前記表示部において前記有価媒体処理装置の装置情報を示す画面を含む複数の画面が自動的に切り替え表示されるようになっており、この表示部における画面は、前記操作表示部において所定の操作が行われたときに前記有価媒体処理装置の装置情報を示す画面に切り替わるようになっている、請求項１０記載の有価媒体処理装置。
【発明の詳細な説明】
【技術分野】
【０００１】
本発明は、紙幣や硬貨等の貨幣や、小切手や商品券等の有価証券からなる有価媒体の処理を行う有価媒体処理装置に関し、とりわけ、複数の表示部が設けられている有価媒体処理装置に関する。
【背景技術】
【０００２】
紙幣や硬貨等の貨幣の処理を行う貨幣処理装置において、様々な情報を表示するとともに操作者が操作を行うことができるタッチパネル等の操作表示部が筐体の上面に設けられたものが従来から知られている（例えば、特許文献１等参照）。
【先行技術文献】
【特許文献】
【０００３】
【特許文献１】特開２０１０−２２４８０５号公報
【発明の概要】
【発明が解決しようとする課題】
【０００４】
上記のタイプの貨幣処理装置において、多くの情報を１つの操作表示部に表示させようとすると、当該操作表示部の表示画面を大きくする必要があるが、画面アスペクト比（縦横比）が一定となるように操作表示部の表示画面を大きくした場合には、複数の表示項目の各々に係る表示領域のレイアウト配置が難しく操作表示部の表示画面が見にくくなってしまうという問題がある。また、画面アスペクト比が一定となるように１つの操作表示部の表示画面を大きくした場合には、当該操作表示部の費用が高くなってしまうため、貨幣処理装置全体のコストアップにつながるという問題がある。
【０００５】
本発明は、このような点を考慮してなされたものであり、複数の表示部を設けるとともに、有価媒体の処理に関する情報を複数の表示部に分割して表示させることにより、複数の情報の各々に係る表示領域のレイアウト配置が容易となるため表示部の表示画面を見やすくすることができ、また、１つの表示部の表示画面を大きくした場合と比較して安価なものとすることができる有価媒体処理装置を提供することを目的とする。
【課題を解決するための手段】
【０００６】
本発明の有価媒体処理装置は、複数の表示部と、有価媒体の処理に関する情報を複数の前記表示部に分割して表示させる制御部と、を備え、複数の前記表示部のうち少なくとも１つの前記表示部は、操作者により操作可能となっている操作表示部であり、前記操作表示部には複数の処理項目が表示されるようになっており、この操作表示部に表示される複数の処理項目のうち何れかの処理項目が選択されるとこの選択された処理項目に対応する内容が他方の前記表示部に表示されるようになっており、前記操作表示部において、他方の前記表示部の表示内容に対応する処理項目とは異なる処理項目が選択されると、当該処理項目に対応する内容が他方の前記表示部に表示されるようになっている、ことを特徴とする。
【０００７】
このような有価媒体処理装置によれば、複数の表示部を設けるとともに、有価媒体の処理に関する情報を複数の表示部に分割して表示させることにより、複数の情報の各々に係る表示領域のレイアウト配置が容易となるため表示部の表示画面を見やすくすることができ、また、１つの表示部の表示画面を大きくした場合と比較して安価なものとすることができる。
【０００８】
本発明の有価媒体処理装置においては、各前記表示部は同一の形状および大きさであってもよい。
【０００９】
本発明の有価媒体処理装置においては、各前記表示部は並列に配置されていてもよい。
【００１１】
この場合、操作者によって前記操作表示部が操作されることにより他の前記表示部の表示内容を変更することができるようになっていてもよい。
【００１２】
また、前記操作表示部には複数の処理項目が表示されるようになっており、前記操作表示部に表示される複数の処理項目のうち何れかの処理項目が選択されるとこの選択された処理項目に対応する内容が他の前記表示部に表示されるようになっていてもよい。
【００１３】
この際に、前記操作表示部に表示される複数の前記処理項目は、前記有価媒体処理装置において行われる所定の処理を複数の工程に分解したものであり、前記有価媒体処理装置において複数の前記処理項目が順に行われるようになっていてもよい。
【００１４】
本発明の有価媒体処理装置においては、複数の前記表示部のうち少なくとも１つの前記表示部において、有価媒体の処理に関する情報が表示される際に、複数の画面が連続的に切り替わるようになっていてもよい。
【００１５】
本発明の有価媒体処理装置においては、複数の前記表示部のうち少なくとも１つの前記表示部に、貨幣の処理に関する情報が表示されるようになっており、他の少なくとも１つの前記表示部に、貨幣以外の有価媒体の処理に関する情報が表示されるようになっていてもよい。
【００１６】
本発明の有価媒体処理装置においては、複数の前記表示部のうち少なくとも１つの前記表示部に、硬貨の処理に関する情報が表示されるようになっており、他の少なくとも１つの前記表示部に、紙幣の処理に関する情報が表示されるようになっていてもよい。
【００１７】
本発明の有価媒体処理装置においては、前記有価媒体処理装置が待機状態となっているときに、複数の前記表示部のうち少なくとも１つの前記表示部には、前記有価媒体処理装置の装置情報を示す画面を含む複数の画面が自動的に切り替え表示されるようになっていてもよい。
【００１８】
この場合、  前記操作表示部とは別の前記表示部において前記有価媒体処理装置の装置情報を示す画面を含む複数の画面が自動的に切り替え表示されるようになっており、この表示部における画面は、前記操作表示部において所定の操作が行われたときに前記有価媒体処理装置の装置情報を示す画面に切り替わるようになっていてもよい。
【発明の効果】
【００１９】
本発明の有価媒体処理装置によれば、複数の表示部を設けるとともに、有価媒体の処理に関する情報を複数の表示部に分割して表示させることにより、複数の情報の各々に係る表示領域のレイアウト配置が容易となるため表示部の表示画面を見やすくすることができ、また、１つの表示部の表示画面を大きくした場合と比較して安価なものとすることができる。
【図面の簡単な説明】
【００２０】
【図１】本発明の実施の形態による貨幣入金機の外観を示す斜視図である。
【図２】図１に示す貨幣入金機における硬貨入金装置の内部を側方から見たときの構成を示す側面図である。
【図３】図２に示す硬貨入金装置の内部における上部領域を上方から見たときの構成を示す上面図である。
【図４】図１に示す貨幣入金機における紙幣入金装置の内部を側方から見たときの構成を示す側面図である。
【図５】図１に示す貨幣入金機の制御系の構成を示す機能ブロック図である。
【図６】図１に示す貨幣入金機の上部カバーを上方に開くとともに操作表示部の支持部を前方に倒したときの紙幣入金装置の内部構成を示す側面図である。
【図７】（ａ）〜（ｄ）は、図１に示す貨幣入金機において硬貨や紙幣の入金処理が行われる際に操作表示部に表示される画面を示す図である。
【図８】図１に示す貨幣入金機が待機状態にあるときに、商業施設の責任者が携帯するＩＤカードが読取部によって読み取られた場合に操作表示部に表示される画面を示す図である。
【図９】（ａ）〜（ｅ）は、図１に示す貨幣入金機においてエラー解除のために筐体の内部から外部にジャムの要因となる紙幣を取り出す際に操作表示部に表示されるガイダンス画面を示す図である。
【図１０】図１に示す貨幣入金機において硬貨の計数結果に係る情報が左側の操作表示部に表示されるとともに紙幣の計数結果に係る情報が右側の操作表示部に表示されるときの画面を示す図である。
【図１１】図１に示す貨幣入金機においてレジ番号や操作者ＩＤの入力画面が左側の操作表示部に表示されるとともにテンキーが右側の操作表示部に表示されるときの画面を示す図である。
【図１２】図１に示す貨幣入金機において操作方法に係るアニメーションおよび装置情報が左側の操作表示部に自動的に切り替え表示されるとともに操作画面が右側の操作表示部に表示されるときの画面を示す図である。
【図１３】図１に示す貨幣入金機において左側の操作表示部に表示される装置情報の画面を示す図であって、（ａ）は、一般の入金者用の装置情報の画面であり、（ｂ）は、管理者用の装置情報の画面である。
【図１４】図１に示す貨幣入金機において左側の操作表示部に表示される更に他の画面を示す図であって、（ａ）は、管理センターや店舗からの伝達事項の画面を示す図であり、（ｂ）は、ソフト更新情報の画面を示す図である。
【図１５】変形例に係る貨幣入出金機の外観を示す斜視図である。
【図１６】図１５に示す貨幣入出金機における紙幣入出金装置および硬貨入出金装置の内部構成を模式的に示す概略構成図である。
【図１７】図１５や図１６に示す貨幣入出金機に設けられた２つの操作表示部に表示される画面を示す図である。
【図１８】更なる変形例に係る有価媒体処理装置に設けられた２つの操作表示部に表示される画面を示す図である。
【発明を実施するための形態】
【００２１】
以下、図面を参照して本発明の実施の形態について説明する。本実施の形態による貨幣入金機は、硬貨や紙幣等の貨幣の入金処理や計数処理を行うものである。このような貨幣入金機はスーパーマーケットやショッピングモール等の商業施設における出納室に設置されたり、自動販売機のメンテナンス会社の営業所に設置されたりして、係員が商業施設の売場（レジ）や自動販売機から回収してきた売上金を入金するようになっている。図１乃至図１４は、本実施の形態による貨幣入金機を示す図である。このうち、図１は、本実施の形態による貨幣入金機の外観を示す斜視図であり、図２および図３は、図１に示す貨幣入金機における硬貨入金装置の内部の構成を示す側面図や上面図であり、図４は、図１に示す貨幣入金機における紙幣入金装置の内部の構成を示す側面図である。また、図５は、図１に示す貨幣入金機の制御系の構成を示す機能ブロック図である。また、図６は、図１に示す貨幣入金機の上部カバーを上方に開くとともに操作表示部の支持部を前方に倒したときの紙幣入金装置の内部構成を示す側面図である。また、図７乃至図１４は、それぞれ、図１に示す貨幣入金機に設けられた２つの操作表示部に表示される様々な画面を示す図である。
【００２２】
まず、本実施の形態による貨幣入金機１の構成について図１乃至図５を用いて説明する。図１は、本実施の形態による貨幣入金機１の外観を示す斜視図である。図１に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。また、図１に示すように、貨幣入金機１の筐体１ａの上部には上部カバー２が設けられており、この上部カバー２を上方に開くことにより操作者は硬貨入金装置１０や紙幣入金装置５０の内部にアクセスすることができるようになっている（図６参照）。より詳細には、上部カバー２は水平方向に延びる軸２ｐを中心として図１に示す状態から上方に回転することができるようになっている。ここで、硬貨入金装置１０の投入部１２（後述）における硬貨の投入口および紙幣入金装置５０の投入部５２（後述）における紙幣の投入口はそれぞれ上部カバー２に設けられている。一方、後述する操作表示部８６、８８や操作キー８９は上部カバー２とは別に設けられており、上部カバー２を上方に開いても操作表示部８６、８８や操作キー８９の位置は変化しないようになっている。
【００２３】
また、本実施の形態の貨幣入金機１には、上部カバー２が上方に開かれたときにこのことを検知する上部カバー開閉検知センサ（図示せず）が設けられている。また、本実施の形態の貨幣入金機１には、上部カバー２を閉状態でロックするためのロック部（図示せず）が設けられており、貨幣入金機１において硬貨や紙幣の計数処理や入金処理が行われているときにはロック部により上部カバー２が閉状態にロックされて当該上部カバー２を上方に開くことができないようになっている。
【００２４】
次に、本実施の形態の貨幣入金機１における硬貨入金装置１０の構成について図２および図３を用いて説明する。上述したように、図２は、硬貨入金装置１０の内部を側方から見たときの構成を示す側面図であり、図３は、図２に示す硬貨入金装置１０の内部における上部領域を上方から見たときの構成を示す上面図である。図２および図３に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損等の識別を行う識別部１６とを備えている。
【００２５】
より詳細には、図２および図３に示すように、投入部１２には、水平状態となるよう配置された円盤形状の回転盤１３が設けられており、当該回転盤１３が回転することにより、筐体１ａの外部から投入されこの回転盤１３の上に載置された硬貨が１枚ずつ当該回転盤１３から搬送部１４に繰り出されるようになっている。また、投入部１２には、筐体１ａの外部から当該投入部１２に投入された硬貨を検知するための投入硬貨検知センサ（図示せず）が設けられている。また、図１に示すように、筐体１ａの上面には硬貨の投入口の開閉を行うシャッタ１２ａが設けられており、当該シャッタ１２ａが開かれたときに操作者は筐体１ａの外部から投入部１２に硬貨を投入することができるようになっている。このようなシャッタ１２ａは操作者が手動で開閉を行うことができるようになっている。
【００２６】
また、搬送部１４は、図３において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｂを回転駆動させることにより無端状の搬送ベルト１４ａが図３において矢印で示す方向に循環移動し、このことにより投入部１２により筐体１ａの内部に投入された硬貨が１枚ずつ搬送ベルト１４ａにより搬送されるようになる。
【００２７】
また、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られるようになる。また、搬送部１４の下流側端部の近傍には開口２０が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００２８】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有している。また、図２における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００２９】
図１に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３０】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図５参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３１】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨が管理本部等で管理されるようになる。
【００３２】
次に、本実施の形態の貨幣入金機１における紙幣入金装置５０の構成について図４を用いて説明する。上述したように、図４は、紙幣入金装置５０の内部を側方から見たときの構成を示す側面図である。図４に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損等の識別を行う識別部５８とを備えている。また、図１に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。また、投入部５２には、筐体１ａの外部から当該投入部５２に投入された紙幣を検知するための投入紙幣検知センサ（図示せず）が設けられている。
【００３３】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００３４】
図１に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００３５】
また、図４に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣が管理本部等で管理されるようになる。
【００３６】
また、図１に示すように、貨幣入金機１の筐体１ａの前面における一時保留部６４の手前側の位置には扉１ｃが設けられているとともに、当該扉１ｃを閉状態にロックするための扉ロック部６５（図５参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００３７】
次に、本実施の形態による貨幣入金機１の制御系の構成について図５を用いて説明する。図５に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、投入部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図５に示すように、硬貨入金装置１０に設けられた硬貨制御部８１や紙幣入金装置５０に設けられた紙幣制御部８２はそれぞれ本体制御部８０に通信可能に接続されている。
【００３８】
また、図１に示すように、貨幣入金機１の筐体１ａの上面には、プリンタ等の印字部８４、２つの操作表示部８６、８８、操作キー８９および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、操作キー８９、読取部９０はそれぞれ本体制御部８０に通信可能に接続されている。
【００３９】
印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）をレシートに印字するようになっている。
【００４０】
また、２つの操作表示部８６、８８のうち左側の操作表示部８６は例えばモニタからなり、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）等の様々な情報の少なくとも一部が当該操作表示部８６に表示されるようになっている。また、２つの操作表示部８６、８８のうち右側の操作表示部８８は例えばタッチパネルからなり、当該操作表示部８８には貨幣入金機１における貨幣の入金処理や計数処理の結果に係る情報等の様々な情報の少なくとも一部が表示されるとともに、操作者は操作表示部８８を操作することにより本体制御部８０に様々な指示を与えることができるようになっている。ここで、本実施の形態では、２つの操作表示部８６、８８は並列に配置されており、また、これらの２つの操作表示部８６、８８は同一の形状および大きさとなっている。また、本実施の形態では、操作者によって右側の操作表示部８８が操作されることにより左側の操作表示部８６の表示内容を変更することができるようになっている。このような技術的事項の詳細については後述する。また、操作キー８９は、例えば貨幣入金機１において入金処理が行われる際に確定待ち状態となったときに図示しないＬＥＤ等によって光が照射されることにより光るようになっており、操作者が当該操作キー８９を押下することにより入金確定の指令が本体制御部８０に与えられるようになっている。
【００４１】
また、本実施の形態の貨幣入金機１では、図１等に示すように、操作表示部８６、８８や操作キー８９を支持するための支持部４が設けられており、この支持部４を筐体１ａの手前側に開くことができるようになっている。より詳細には、支持部４は、その下端部分（基端部分）に設けられた水平方向に延びる軸４ｐ（図４や図６等参照）を中心として揺動可能となっている。また、図１や図４、図６等に示すように、操作表示部８６、８８や操作キー８９を支持するための支持部４は、貨幣入金機１の筐体１ａの前壁部分の少なくとも一部を構成している。また、支持部４の軸４ｐには、当該支持部４を筐体１ａの手前側に開いた状態から元の所定位置（具体的には、図６において二点鎖線で示す位置）に戻る方向に付勢するための付勢部として例えばねじりバネ等が設けられている。このことにより、操作者が手動で支持部４を筐体１ａの手前側に開いた後、この支持部４から手を離すと当該支持部４は自動的に図６において二点鎖線で示す元の所定位置に戻るようになっている。
【００４２】
また、本実施の形態では、操作表示部８６、８８や操作キー８９を支持するための支持部４は、上部カバー２が上方に開かれた状態においてのみ、筐体１ａの手前側に開くことができるようになっている。すなわち、上部カバー２が閉じているときには、支持部４の上端部分が図示しない係合部材によって上部カバー２に係合することにより、当該支持部４を筐体１ａの手前側に開くことができないようになっている。
【００４３】
また、図５に示すように、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４４】
また、図５に示すように、本体制御部８０には記憶部９４が通信可能に接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）が記憶されるようになっている。
【００４５】
また、本体制御部８０には通信インターフェース部９８が通信可能に接続されており、本体制御部８０は、この通信インターフェース部９８により、貨幣入金機１の外部に設けられた上位端末等の外部装置と信号の送受信を行うことができるようになっている。
【００４６】
次に、このような構成からなる本実施の形態の貨幣入金機１の動作について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００４７】
本実施の形態の貨幣入金機１において硬貨や紙幣の入金処理が行われるときの動作について図７を用いて以下に説明する。なお、図７（ａ）〜（ｄ）は、図１に示す貨幣入金機１において硬貨や紙幣の入金処理が行われる際に操作表示部８６、８８に表示される画面を示す図である。貨幣入金機１が待機状態にあるときには、操作表示部８６、８８には図７（ａ）に示すような待機画面が表示される。貨幣入金機１が待機状態にあるときに、操作者が自己のＩＤカード等の記録媒体９２を読取部９０に通すことにより、当該操作者の権限が認証されると、操作表示部８６、８８には、図７（ｂ）に示すような、操作者に対して硬貨入金装置１０の投入部１２や紙幣入金装置５０の投入部５２に硬貨や紙幣を投入することを促す旨のガイダンス画面が表示されるようになる。そして、操作者が貨幣入金機１の筐体１ａの上面に設けられたシャッタ１２ａやシャッタ５２ａを手動で開くことにより筐体１ａの外部から硬貨や紙幣を投入部１２や投入部５２に投入した後、操作表示部８８に表示されているスタートボタンを押下すると、投入部１２や投入部５２に投入された硬貨や紙幣は筐体１ａの内部に繰り出されるようになる。具体的には、投入部１２に投入された硬貨は当該投入部１２に設けられた回転盤１３により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図２における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出すことができるようになる。
【００４８】
また、投入部５２に紙幣が投入された後、操作表示部８８に表示されるスタートボタン（図７（ｂ）参照）が押下されると、投入部５２に投入された紙幣は繰出機構５４によって１枚ずつ筐体１ａの内部に繰り出され、搬送部５６により搬送される。この際に、識別部５８により紙幣の金種、真偽、正損等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出すことができるようになる。
【００４９】
投入部１２に投入された硬貨が全て当該投入部１２に設けられた回転盤１３により筐体１ａの内部に繰り出されて一時保留部２６またはリジェクト部２８に送られるとともに、投入部５２に投入された紙幣が全て繰出機構５４により筐体１ａの内部に繰り出されて一時保留部６４またはリジェクト部６２に送られると、操作表示部８８には、図７（ｃ）に示すような、操作者に対して入金確定の承認を求めるガイダンス画面が表示される。また、操作表示部８６には取引中における硬貨や紙幣の計数結果に係る情報が表示される。具体的には、操作表示部８６において、取引中における硬貨入金装置１０や紙幣入金装置５０による硬貨や紙幣の計数金額がカウントアップ方式により表示される。また、この際に、操作キー８９が光るようになり、当該操作キー８９が確定キーであることが示されるようになる。そして、操作者が操作キー８９を押下することにより入金確定の指令を本体制御部８０に入力すると、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。また、入金確定の指令が本体制御部８０に入力されると、一時保留部６４に一時的に保留された紙幣が当該一時保留部６４から紙幣収納カセット７０に送り込まれ、この紙幣収納カセット７０に収納されるようになる。
【００５０】
入金確定の指令が本体制御部８０に入力されることによって硬貨収納カセット４０や紙幣収納カセット７０に硬貨や紙幣が収納された後、操作表示部８６、８８には図７（ｄ）に示すような取引確定画面が表示されるようになる。具体的には、取引中における硬貨や紙幣の計数結果に係る情報が操作表示部８８に表示される。また、印字部８４により、貨幣入金機１における貨幣の入金処理や計数処理の結果に係る情報がレシートに印字される。ここで、図７（ｄ）に示すように、左側の操作表示部８６には、印字部８４により印字されたレシートの場所を示すガイダンス画面が表示されるともに、右側の操作表示部８８には操作者に対してレシートの取り忘れを防止するために注意を促すメッセージが表示される。また、図７（ｄ）に示す画面において、操作表示部８８に表示されている追加印字ボタンを押下すると、印字部８４により追加の印字が行われ、更なるレシートが発行されるようになる。これは、１回の入金処理について、複数枚のレシート（例えば、上位報告用および保管用）が必要とされる運用を想定した機能である。
【００５１】
一方、操作表示部８８に、図７（ｃ）に示すような、操作者に対して入金確定の承認を求めるガイダンス画面が表示されているときに、操作者が操作キー８９を押下する代わりに操作表示部８８に表示されている返却ボタンを押下することにより返却の指令を本体制御部８０に入力すると、一時保留部２６は図２における中央の位置から左側の位置に移動し、この一時保留部２６に一時的に保留された硬貨が当該一時保留部２６から自重により落下して硬貨返却箱３０に送られるようになる。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。また、返却の指令が本体制御部８０に入力されると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。
【００５２】
本実施の形態の貨幣入金機１では、上述したように、硬貨の入金処理および紙幣の入金処理は同時並行的に行われ、単一の入金確定の指令あるいは返却の指令によって硬貨および紙幣の両方の収納動作または返却動作が行われるようになっている。
【００５３】
また、本実施の形態では、貨幣入金機１が待機状態にあるときに、読取部９０によって読み取られる記録媒体９２（具体的には、ＩＤカード等）の種類によって、当該貨幣入金機１で行うことができる処理の種類が異なるようになっており、これに伴い操作表示部８６、８８に表示される画面も異なるようになっている。具体的には、スーパーマーケットやショッピングモール等の商業施設の店員が携帯するＩＤカードは引渡（入金）カードとなっており、店員が携帯するＩＤカードが読取部９０によって読み取られた場合には貨幣入金機１において上述した入金処理しか行うことができないようになっている。このため、読取部９０によって店員のＩＤカードが読み取られると、貨幣入金機１において自動的に入金処理が行われるようになる。一方、商業施設の責任者が携帯するＩＤカードが読取部９０によって読み取られた場合には、貨幣入金機１において上述した入金処理に加えて、一日の取引の締め処理および硬貨収納カセット４０や紙幣収納カセット７０の交換処理を行うことができるようになっている。このため、読取部９０によって商業施設の責任者のＩＤカードが読み取られると、操作表示部８８において複数の処理のうちどの処理を行うかを選択するための選択画面が表示されるようになり、この操作表示部８８で選択された処理が貨幣入金機１において行われるようになる。また、警送会社の警備員が携帯するＩＤカードが読取部９０によって読み取られた場合には、貨幣入金機１において硬貨収納カセット４０や紙幣収納カセット７０の回収処理を行うことができるようになっている。
【００５４】
図８は、貨幣入金機１が待機状態にあるときに、商業施設の責任者が携帯するＩＤカードが読取部９０によって読み取られた場合に操作表示部８６、８８に表示される画面を示す図である。商業施設の責任者が携帯するＩＤカードが読取部９０によって読み取られると、操作表示部８８には図８に示すような複数の処理のうちどの処理を行うかを選択するための選択画面が表示されるようになり、当該責任者はこのような操作表示部８８の選択画面において引渡処理、締め処理および交換処理のうちどの処理を行うかを選択することができるようになる。図８に示すような操作表示部８８の画面において「引渡処理」のボタンが押下された場合には上述した硬貨や紙幣の入金処理が行われるようになる。また、図８に示すような操作表示部８８の画面において「締め処理」のボタンが押下された場合には貨幣入金機１において一日の取引の締め処理が行われるようになる。また、図８に示すような操作表示部８８の画面において「交換処理」のボタンが押下された場合には貨幣入金機１において扉１ｂを開いて硬貨収納カセット４０や紙幣収納カセット７０の交換処理を行うことができるようになる。
【００５５】
また、本実施の形態の貨幣入金機１では、筐体１ａ内で硬貨や紙幣のジャム（詰まり）等の異常が発生したときに、エラー解除のための筐体１ａの外部への硬貨や紙幣の取り出しの手順に係るガイダンス画面が操作表示部８６、８８に表示されるようになっており、操作者は、この操作表示部８６、８８に表示されるガイダンス画面に従って、上部カバー２を筐体１ａから上方に開いた後、筐体１ａの内部に手を入れて当該筐体１ａの内部から外部にジャムの要因となる硬貨や紙幣を取り出すようになっている。このようなエラー解除のために筐体１ａの外部へ硬貨や紙幣を取り出す際の動作について図６および図９を用いて説明する。ここで、図６は、図１に示す貨幣入金機１の上部カバー２を上方に開くとともに操作表示部８６、８８の支持部４を前方に倒したときの紙幣入金装置５０の内部構成を示す側面図である。また、図９（ａ）〜（ｅ）は、図１に示す貨幣入金機１においてエラー解除のために筐体１ａの内部から外部にジャムの要因となる紙幣を取り出す際に操作表示部８６、８８に表示されるガイダンス画面を示す図である。なお、本実施の形態では、図９（ａ）〜（ｃ）に示すように、右側の操作表示部８８には複数の処理項目が表示されるようになっており、この操作表示部８８に表示される複数の処理項目のうち何れかの処理項目が選択されるとこの選択された処理項目に対応する内容が左側の操作表示部８６に表示されるようになっている。また、右側の操作表示部８８に表示される複数の処理項目は、貨幣入金機１においてエラー解除の際に行われる所定の処理を複数の工程に分解したものであり、貨幣入金機１においてこれらの複数の処理項目が順に行われるようになっている。また、以下の説明では、紙幣入金装置５０において紙幣のジャム等の異常が発生したときにこの紙幣入金装置５０から紙幣を取り出してエラー解除を行う際の動作について述べるが、硬貨入金装置１０において硬貨のジャム等の異常が発生したときにも同様の方法で硬貨入金装置１０から硬貨を取り出してエラー解除を行うことができるようになっている。
【００５６】
筐体１ａ内で硬貨や紙幣のジャム（詰まり）等の異常が発生したときには、まず、図９（ａ）に示すように、操作者に対して上部カバー２を筐体１ａから上方に開くことを指示する旨のガイダンス画面が操作表示部８６、８８に表示される。そして、操作者が操作表示部８６、８８に表示されるガイダンス画面に従って上部カバー２を筐体１ａから上方に開くとともに支持部４を筐体１ａから手前側に倒すと（図６参照）、当該操作者は紙幣入金装置５０の内部にある搬送部５６、識別部５８、分岐部６０等にアクセスすることができるようになり、これらの搬送部５６、識別部５８、分岐部６０の各構成部材から紙幣を取り出すことができるようになる。以下の説明では、上部カバー２を筐体１ａから上方に開くとともに支持部４を筐体１ａから手前側に倒した後、識別部５８から紙幣を取り出す際の動作の詳細について述べるが、搬送部５６や分岐部６０から紙幣を取り出す場合にも同様の動作が行われるようになる。
【００５７】
本実施の形態の貨幣入金機１では、上部カバー２を筐体１ａから上方に開いた後、識別部５８を手前側に開くことができるようになっている。より詳細には、識別部５８の上端部分には取っ手（図示せず）が設けられており、操作者はこの取っ手を指で持つことにより識別部５８を手前側に開くことができるようになっている。このようにして識別部５８が手前側に開かれたときに当該識別部５８から紙幣を取り除くことができるようになる。また、本実施の形態の貨幣入金機１には、識別部５８が前方に開かれたときにこのことを検知する識別部開閉検知センサ（図示せず）が設けられている。また、本実施の形態では、上部カバー２を筐体１ａから上方に開いた後、搬送部５６の一部を手前側上方に開いたり分岐部６０の一部を奥側上方に開いたりすることができるようになっており、搬送部５６の一部や分岐部６０の一部が開かれたときにこれらの搬送部５６や分岐部６０から紙幣を取り除くことができるようになっている。また、本実施の形態の貨幣入金機１には、搬送部５６の一部や分岐部６０の一部が開かれたときにこのことを検知する搬送部開閉検知センサ（図示せず）や分岐部開閉検知センサ（図示せず）が設けられている。
【００５８】
操作者が上部カバー２を筐体１ａから上方に開くとともに支持部４を筐体１ａから手前側に倒し、上部カバー２が開かれたことが図示しない上部カバー開閉検知センサにより検知されると、図９（ｂ）に示すように、操作者に対して識別部５８を手前側に開くことを指示する旨のガイダンス画面が操作表示部８６、８８に表示される。そして、操作者が操作表示部８６、８８に表示されるガイダンス画面に従って識別部５８を手前側に開き、識別部５８が開かれたことが図示しない識別部開閉検知センサにより検知されると、右側の操作表示部８８には「残留紙幣を取り除いてください」というメッセージが表示されるようになる。
【００５９】
その後、操作者が識別部５８から貨幣入金機１の筐体１ａの外部へ紙幣を取り出し、その後に上部カバー２を閉じると、エラー解除動作が完了する。具体的には、上部カバー２が閉じたことが図示しない上部カバー開閉検知センサにより検知されると、操作表示部８６、８８には図９（ｃ）に示すような操作者に対して操作キー８９を押下することを指示する旨のガイダンス画面が表示される。また、この際に、操作キー８９が光るようになり、当該操作キー８９が確定キーであることが示されるようになる。そして、操作者が操作キー８９を押下すると、操作表示部８６、８８には図９（ｄ）に示すような装置リセット中であることを示すガイダンス画面が表示され、その後、操作表示部８６、８８に表示される画面は図９（ｅ）に示すような待機画面に戻るようになる。
【００６０】
このように、本実施の形態では、貨幣入金機１においてエラー解除が行われる際に右側の操作表示部８８には複数の処理項目が表示されるようになっており、この操作表示部８８に表示される複数の処理項目のうち何れかの処理項目が選択されるとこの選択された処理項目に対応する内容が左側の操作表示部８６に表示されるようになっている。具体的には、操作表示部８８に表示される処理項目として、上部カバー２を開くこと、取っ手を引いて識別部５８を開くこと、残留紙幣を取り除くこと、上部カバー２を閉じること、確定キーとしての操作キー８９を押下すること等が挙げられ、これらの処理項目に対応するガイダンス画面が左側の操作表示部８６に表示されるようになっている。
【００６１】
なお、操作表示部８６、８８に表示されるガイダンス画面の指示内容と異なる操作が操作者によって行われた場合には、操作表示部８６、８８において警告表示がなされたり、貨幣入金機１から警報ブザーが発せられたりする等の警告報知が操作者に対して行われる。
【００６２】
また、本実施の形態では、左側の操作表示部８６にガイダンス画面が表示される際に、当該操作表示部８６にアニメーション表示がループして行われるようになっていてもよい。すなわち、左側の操作表示部８６においてエラー解除の方法が表示される際に、複数の画面が連続的に切り替わるようになっていてもよい。この場合には、操作者は静止画を見る場合と比較してアニメーション表示を見ることによりエラー解除の方法を理解しやすくなるとともに誤操作を防止することができるようになる。
【００６３】
また、本実施の形態では、左側の操作表示部８６に表示されるガイダンス画面により指示された操作が操作者により行われると次の指示画面に切り替わるが、図９（ａ）〜（ｃ）において右側の操作表示部８８に表示される複数の操作項目において前後の操作項目が押下された場合には前後の操作に関するガイダンス画面が左側の操作表示部８６に表示されるようになる。例えば、右側の操作表示部８８に図９（ｂ）に示すような画面が表示されているときに、「取っ手を引き紙幣ユニットを開けてください」という操作項目の他に、１つ前の操作項目である「上部開閉部を開けてください」という操作項目および１つ後の操作項目である「残留紙幣を取り除いてください」という操作項目が表示されるが、「上部開閉部を開けてください」という操作項目を操作者が押下すると操作表示部８６には図９（ａ）に示すようなガイダンス画面が表示されるようになり、また、「残留紙幣を取り除いてください」という操作項目を押下すると操作表示部８６には識別部５８等の各構成部材から紙幣を取り除くことを指示する旨の静止画またはアニメーションが表示されるようになる。このような技術的事項により、操作者は例えば次に行う処理内容を事前に確認することができるようになり、操作者に安心感を与えることができるとともに操作者にとっての作業性を向上させることができるようになる。とりわけ、左側の操作表示部８６にアニメーション表示がループして行われるようになっている場合には、従来技術ではエラー解除の方法を示すアニメーション表示が最初から最後までループして表示されるため該当操作項目に対応する画面が表示されるまで待たなければならないが、本実施の形態では操作項目を複数に分割するとともに選択された処理項目に対応するアニメーション表示が操作表示部８６において行われるため操作者にとっての待ち時間を大幅に短縮することができるようになる。
【００６４】
なお、上述したように、硬貨入金装置１０において硬貨のジャム等の異常が発生したときにも、紙幣入金装置５０における識別部５８等の各構成部材から紙幣を取り出す上記の方法と同様の方法で硬貨入金装置１０から硬貨を取り出してエラー解除を行うことができるようになっている。すなわち、操作者は上部カバー２を上方に開くことにより硬貨入金装置１０における回転盤１３や搬送部１４等にアクセスすることができるようになり、これらの回転盤１３や搬送部１４等から硬貨を取り出すことによりエラー解除を行うことができるようになる。このときに、操作表示部８６、８８には、硬貨のエラー解除の方法に関する情報が表示される。
【００６５】
また、本実施の形態の貨幣入金機１において入金処理や計数処理が行われる際に、図１０に示すように、硬貨の計数結果に係る情報が左側の操作表示部８６に表示されるとともに紙幣の計数結果に係る情報や合計金額に係る情報が右側の操作表示部８８に表示されるようになっていてもよい。この場合には、硬貨の計数結果に係る情報および紙幣の計数結果に係る情報が、硬貨入金装置１０および紙幣入金装置５０のレイアウトと同じように、左右に並べて表示されるようになるため、操作者は貨幣入金機１における貨幣の計数結果に係る情報を直感的に理解しやすくなる。
【００６６】
また、本実施の形態の貨幣入金機１において操作者の権限の認証が行われる際に、図１１に示すように、レジ番号や操作者ＩＤの入力画面が左側の操作表示部８６に表示されるとともにテンキーが右側の操作表示部８８に表示されるようになっていてもよい。この場合には、操作者は右側の操作表示部８８に表示されるテンキーを用いてレジ番号や操作者ＩＤの入力を行うことができるようになり、操作者がＩＤカード等の記録媒体９２を保持していない場合でも当該操作者の権限の認証を行うことができるようになる。また、操作者が右側の操作表示部８８に表示されるテンキーを用いて暗証番号を入力するようにしてもよい。
【００６７】
また、本実施の形態の貨幣入金機１が待機状態となっているときに、図１２に示すように、左側の操作表示部８６に操作方法に係るアニメーションおよび装置情報が自動的に切り替え表示される（すなわち、操作方法に係るアニメーションおよび装置情報がローテーション表示される）とともに右側の操作表示部８８に操作画面が表示されるようになっていてもよい。より詳細には、本実施の形態の貨幣入金機１が待機状態となっているときに、左側の操作表示部８６にまず図１２（ａ）に示すような読取部９０の位置を強調する画面が表示され、所定時間（例えば、数秒）が経過したら左側の操作表示部８６に図１２（ｂ）に示すようなＩＤカード等の記録媒体９２を読取部９０に通すことを操作者に催促する画面が表示されるようになる。そして、左側の操作表示部８６に図１２（ｂ）に示す画面が表示されてから所定時間が経過したらこの左側の操作表示部８６に図１２（ｃ）に示すような貨幣入金機１の装置情報が表示され、更に所定時間が経過したら左側の操作表示部８６に表示される画面が図１２（ａ）に示す画面に戻るようになる。また、この際に、右側の操作表示部８８には図１２（ａ）〜（ｃ）に示すように同じ操作画面が表示され続けるが、このような操作画面における「装置情報」ボタンが操作者に押下されると左側の操作表示部８６に表示される画面がすぐに図１２（ｃ）に示すような貨幣入金機１の装置情報を示す画面に切り替えられるようになる。そして、図１２（ｃ）に示すような貨幣入金機１の装置情報を示す画面が左側の操作表示部８６に所定時間（例えば、３０秒間）表示された後、再び操作方法に係るアニメーションおよび装置情報が左側の操作表示部８６に自動的に切り替え表示されるようになる。
【００６８】
また、本実施の形態の貨幣入金機１が待機状態となっており、左側の操作表示部８６に操作方法に係るアニメーションおよび装置情報が自動的に切り替え表示されるとともに右側の操作表示部８８に操作画面が表示されているときに、ＩＤカード等の記録媒体９２が読取部９０に通されることにより当該記録媒体９２の情報が読取部９０により読み取られたり、右側の操作表示部８８に表示される操作画面における「引渡処理」のボタンが押下されたりすると、操作表示部８６、８８に表示される画面が図１２（ａ）〜（ｃ）に示すような待機状態時の画面から入金処理等に関する画面に切り替えられるようになる。具体的には、操作表示部８６、８８には、図７（ｂ）に示すような、操作者に対して硬貨入金装置１０の投入部１２や紙幣入金装置５０の投入部５２に硬貨や紙幣を投入することを促す旨のガイダンス画面が表示されるようになる。
【００６９】
このように、貨幣入金機１が待機状態となっているときに、図１２に示すように、左側の操作表示部８６に操作方法に係るアニメーションおよび装置情報が自動的に切り替え表示されるようになっている場合には、１つの操作表示部（具体的には、左側の操作表示部８６）において貨幣入金機１の操作方法や当該貨幣入金機１の装置情報等の様々な情報をローテーション表示させることができるため、１つの操作表示部の画面で多くの情報を表示させることができるようになる。
【００７０】
また、本実施の形態の貨幣入金機１が待機状態となっているときに、左側の操作表示部８６に操作方法に係るアニメーションおよび装置情報が自動的に切り替え表示される場合には、左側の操作表示部８６にローテーションで表示される装置情報の内容と、右側の操作表示部８８に表示される操作画面において「装置情報」ボタンが押下されたときに左側の操作表示部８６に表示される装置情報の内容とが異なるようになっていてもよい。より詳細には、左側の操作表示部８６にローテーションで表示される装置情報の画面は、図１３（ａ）に示すような一般の入金者用の装置情報の画面となっている。これに対し、右側の操作表示部８８に表示される操作画面において「装置情報」ボタンが押下されたときに左側の操作表示部８６に表示される装置情報の画面は、図１３（ｂ）に示すような管理者用の装置情報の画面となっており、このような管理者用の装置情報の画面では、一般の入金者用の装置情報の画面と比較して硬貨収納カセット４０や紙幣収納カセット７０の交換回数が追加的に表示されるようになっている。このことにより、本実施の形態の貨幣入金機１が待機状態となっているときに管理者が右側の操作表示部８８に表示される操作画面において「装置情報」ボタンを押下すると、左側の操作表示部８６にローテーションで表示される一般の入金者用の装置情報の内容よりも詳しい内容の装置情報がこの左側の操作表示部８６に表示されるようになるため、管理者はより有益な装置情報を取得することができるようになる。
【００７１】
また、本実施の形態の貨幣入金機１が待機状態となっているときに、左側の操作表示部８６にローテーションで表示される画面に、図１４（ａ）に示すような管理センターや店舗からの伝達事項を示す画面や、図１４（ｂ）に示すようなソフト更新情報（言い換えると、ソフトバージョンアップ情報）を示す画面が含まれるようになっていてもよい。また、図１４（ａ）に示すような管理センターや店舗からの伝達事項の画面が左側の操作表示部８６に表示された後、所定時間（例えば、数秒）が経過するとこの左側の操作表示部８６に図１３（ｂ）に示すような管理者用の装置情報の画面が表示されるようになっていてもよい。
【００７２】
また、本実施の形態の貨幣入金機１が待機状態となっており、左側の操作表示部８６に操作方法に係るアニメーションおよび装置情報が自動的に切り替え表示される場合において、右側の操作表示部８８のみならず左側の操作表示部８６もタッチパネルから構成されているときには、この左側の操作表示部８６に表示される画面が操作者により直接押下されると、その画面で所定時間（例えば、３０秒）停止するようになっていてもよい。また、左側の操作表示部８６がタッチパネルから構成されている場合には、この左側の操作表示部８６においてドラッグ操作（すなわち、左側の操作表示部８６で画面に触れた指を上方向または下方向に大きくスライドさせる操作）が行われると、左側の操作表示部８６において操作方法に係るアニメーションや装置情報が早送りで表示されるようになっていてもよい。また、左側の操作表示部８６においてフリック操作（言い換えると、左側の操作表示部８６において画面に触れた指を少しだけスライドさせる操作）が行われると、この左側の操作表示部８６に表示される画面を拡大したりスライドさせたりすることができるようになっていてもよい。また、本実施の形態の貨幣入金機１が待機状態となっており、左側の操作表示部８６に操作方法に係るアニメーションおよび装置情報が自動的に切り替え表示されている場合において、確定キーとして機能する操作キー８９が押下されると、左側の操作表示部８６に表示される画面が所定時間（例えば、３０秒）停止するようになっていてもよい。
【００７３】
以上のような構成からなる本実施の形態の貨幣入金機１によれば、複数の操作表示部８６、８８が設けられているとともに、貨幣の処理に関する情報が複数の操作表示部８６、８８に分割して表示されるようになっている。この場合には、操作表示部を１つしか設けない場合と比較して、複数の情報の各々に係る表示領域（例えば、ガイダンス画面に係る表示領域や操作ボタンに係る表示領域、貨幣の計数結果に係る表示領域等）のレイアウト配置が容易となるため操作表示部８６、８８の表示画面を見やすくすることができ、また、１つの操作表示部の表示画面を大きくした場合と比較して安価なものとすることができる。すなわち、従来技術では、多くの情報を１つの操作表示部に表示させようとしていたため操作表示部の表示画面を大きくする必要があるが、画面アスペクト比（縦横比）が一定となるように操作表示部の表示画面を大きくした場合には、複数の表示項目の各々に係る表示領域のレイアウト配置が難しく操作表示部の表示画面が見にくくなってしまうという問題があった。また、画面アスペクト比が一定となるように１つの操作表示部の表示画面を大きくした場合には、当該操作表示部の費用が高くなってしまうため、装置全体のコストアップにつながるという問題があった。これに対し、本実施の形態の貨幣入金機１では、貨幣の処理に関する情報が複数の操作表示部８６、８８に分割して表示されるためこのような問題を解消することができる。
【００７４】
また、本実施の形態の貨幣入金機１においては、上述したように、操作表示部８６、８８は同一の形状および大きさとなっている。なお、本実施の形態ではこのような態様に限定されることはなく、操作表示部８６、８８の形状や大きさが互いに異なるようになっていてもよい。また、本実施の形態の貨幣入金機１においては、上述したように、各操作表示部８６、８８は並列に配置されている。なお、本実施の形態ではこのような態様に限定されることはなく、各操作表示部８６、８８の配置方法が並列以外のものとなっていてもよい。
【００７５】
また、本実施の形態の貨幣入金機１においては、上述したように、複数の操作表示部８６、８８のうち少なくとも１つの操作表示部（具体的には、右側の操作表示部８８）は、操作者により操作可能となっている。すなわち、左側の操作表示部８６は例えばモニタから構成されるのに対し、右側の操作表示部８８は例えばタッチパネルから構成されている。なお、本実施の形態ではこのような態様に限定されることはなく、左側の操作表示部８６が例えばタッチパネルから構成されることによって操作者により操作可能となっていてもよい。更には、両方の操作表示部８６、８８（操作表示部が３つ以上設けられている場合には複数または全ての操作表示部）をタッチパネルで構成してもよく、その場合には各処理について操作表示部８６、８８による操作や表示のバリエーションを増やすことができる。
【００７６】
また、本実施の形態の貨幣入金機１においては、上述したように、操作者によって右側の操作表示部８８が操作されることにより左側の操作表示部８６の表示内容を変更することができるようになっている。また、この場合、右側の操作表示部８８には複数の処理項目が表示されるようになっており、この操作表示部８８に表示される複数の処理項目のうち何れかの処理項目が選択されるとこの選択された処理項目に対応する内容が左側の操作表示部８６に表示されるようになっている。また、右側の操作表示部８８に表示される複数の処理項目は、貨幣入金機１においてエラー解除の際に行われる所定の処理を複数の工程に分解したものであり、貨幣入金機１においてこれらの複数の処理項目が順に行われるようになっている。
【００７７】
また、本実施の形態の貨幣入金機１においては、上述したように、複数の操作表示部８６、８８のうち少なくとも１つの操作表示部（具体的には、左側の操作表示部８６）において、貨幣の処理に関する情報が表示される際に、複数の画面が連続的に切り替わるようになっていてもよい。すなわち、左側の操作表示部８６においてアニメーション表示が行われるようになっていてもよい。この場合には、操作者は静止画を見る場合と比較してアニメーション表示を見ることにより貨幣の処理方法を理解しやすくなるとともに誤操作を防止することができるようになる。
【００７８】
また、本実施の形態の貨幣入金機１においては、上述したように、複数の操作表示部８６、８８のうち少なくとも１つの操作表示部（例えば、左側の操作表示部８６）に、硬貨の処理に関する情報が表示されるようになっており、他の少なくとも１つの操作表示部（例えば、右側の操作表示部８８）に、紙幣の処理に関する情報が表示されるようになっていてもよい。この場合には、硬貨の処理に関する情報および紙幣の処理に関する情報が左右に並べて表示されるようになるため、操作者は貨幣入金機１における貨幣の処理に関する情報を直感的に理解しやすくなる。
【００７９】
また、本実施の形態の貨幣入金機１においては、上述したように、当該貨幣入金機１が待機状態となっているときに、図１２に示すように、複数の操作表示部のうち少なくとも１つの操作表示部（例えば、左側の操作表示部８６）には、貨幣入金機１の装置情報を示す画面を含む複数の画面が自動的に切り替え表示されるようになっていてもよい。この場合には、１つの操作表示部において貨幣入金機１の操作方法や当該貨幣入金機１の装置情報等の様々な情報をローテーション表示させることができるため、１つの操作表示部の画面で多くの情報を表示させることができるようになる。また、この場合には、右側の操作表示部８８において所定の操作（具体的には、「装置情報」のボタンの押下）が行われると、左側の操作表示部８６における画面が貨幣入金機１の装置情報を示す画面（すなわち、図１２（ｃ）に示す画面）に切り替わるようになっていてもよい。
【００８０】
なお、本実施の形態による貨幣入金機やこの貨幣入金機による貨幣処理方法は、上述したような態様に限定されることはなく、様々な変更を加えることができる。
【００８１】
例えば、変形例に係る貨幣入金機として、操作表示部が３つ以上設けられており、貨幣の処理に関する情報が３つ以上の操作表示部に分割して表示されるようになっていてもよい。この場合にも、操作表示部を１つしか設けない場合と比較して、複数の情報の各々に係る表示領域のレイアウト配置が容易となるため各々の操作表示部の表示画面を見やすくすることができ、また、１つの操作表示部の表示画面を大きくした場合と比較して安価なものとすることができる。
【００８２】
また、本発明による貨幣処理装置は、貨幣の入金処理や計数処理を行う貨幣入金機に限定されることはない。本発明による貨幣処理装置として、貨幣の入金処理および出金処理をそれぞれ行うことができる貨幣入出金機が用いられてもよい。本発明による貨幣入出金機の構成の一例について図１５乃至図１７を用いて説明する。図１５は、変形例に係る貨幣入出金機の外観を示す斜視図であり、図１６は、図１５に示す貨幣入出金機における紙幣入出金装置および硬貨入出金装置の内部構成を模式的に示す概略構成図である。また、図１７は、図１５や図１６に示す貨幣入出金機に設けられた２つの操作表示部に表示される画面を示す図である。
【００８３】
図１５および図１６に示すように、変形例に係る貨幣入出金機１００は、紙幣入出金装置１０１および硬貨入出金装置１０２が筐体１０３内で一体化されたものであり、これらの紙幣入出金装置１０１および硬貨入出金装置１０２は左右に並ぶよう配置されている。具体的には、図１５に示すように、貨幣入出金機１００の筐体１０３を手前側から見て紙幣入出金装置１０１は右側に配置されているとともに硬貨入出金装置１０２は左側に配置されている。また、筐体１０３における紙幣入出金装置１０１側の前面上部には紙幣入金口１０４が設けられるともに、当該紙幣入金口１０４の下方位置に紙幣出金口１０５が設けられており、また、紙幣入金口１０４の周辺に操作表示機構１０８が設けられている。より詳細には、操作表示機構１０８は、入力用操作キー群１０６および２つの操作表示部１０７ａ、１０７ｂから構成されている。ここで、２つの操作表示部１０７ａ、１０７ｂのうち左側の操作表示部１０７ａは例えばモニタからなり、貨幣入出金機１００における貨幣の入金処理や出金処理の結果に係る情報や、紙幣入出金装置１０１および硬貨入出金装置１０２に収納されている紙幣や硬貨の金種毎の枚数や合計金額に係る情報（在高情報）等の様々な情報の少なくとも一部が表示されるようになっている。また、２つの操作表示部１０７ａ、１０７ｂのうち右側の操作表示部１０７ｂは例えばタッチパネルからなり、当該操作表示部１０７ｂには貨幣入出金機１００における貨幣の入金処理や出金処理の結果に係る情報等の様々な情報の少なくとも一部が表示されるとともに、操作者は操作表示部１０７ｂを操作することにより後述する制御部１６０や制御部１６９に様々な指示を与えることができるようになっている。ここで、２つの操作表示部１０７ａ、１０７ｂは並列に配置されており、また、これらの２つの操作表示部１０７ａ、１０７ｂは同一の形状および大きさとなっている。また、図１乃至図１４に示す貨幣入金機１の操作表示部８６、８８と同様に、操作者によって右側の操作表示部１０７ｂが操作されることにより左側の操作表示部１０７ａの表示内容を変更することができるようになっていてもよい。
【００８４】
また、硬貨入出金装置１０２側の筐体１０３の前面上部には硬貨入金口１０９が設けられるとともに、当該硬貨入金口１０９の下方位置には釣銭硬貨やリジェクト硬貨を出金するための硬貨出金口１１０が設けられている。また、紙幣入出金装置１０１および硬貨入出金装置１０２からなる貨幣入出金機１００が設置される箇所の近傍に設けられたテーブル２００上には金銭登録機１１１が配置されている。ここで、紙幣入出金装置１０１および硬貨入出金装置１０２はそれぞれ金銭登録機１１１に通信可能に接続され、この金銭登録機１１１により紙幣入出金装置１０１や硬貨入出金装置１０２における紙幣や硬貨の入出金処理が管理されるようになっている。
【００８５】
なお、図１５に示すように、筐体１０３の前面には前扉１１２が横開き状に取り付けられており、当該前扉１１２のキー孔１１３にキーを挿入することによってこの前扉１１２の開閉操作が行われるようになっている。また、金銭登録機１１１はカードリーダ１１４を有しており、操作者が携帯するＩＤカード等の記録媒体をカードリーダ１１４に通すことにより当該操作者の権限が認証されるようになっている。
【００８６】
次に、紙幣入出金装置１０１や硬貨入出金装置１０２の内部構成の詳細について図１６を用いて説明する。
【００８７】
まず、紙幣入出金装置１０１の内部構成の詳細について述べる。図１６に示すように、紙幣入金口１０４には入金繰り込み部１１５が設けられており、紙幣入金口１０４に投入された紙幣は入金繰り込み部１１５により紙幣入出金装置１０１の内部に１枚ずつ繰り出されるようになっている。また、紙幣入出金装置１０１の内部には識別搬送部１２１が設けられており、入金繰り込み部１１５により紙幣入出金装置１０１の内部に繰り出された紙幣は識別搬送部１２１により搬送されるようになっている。また、識別搬送部１２１には、入金繰り込み部１１５により紙幣入出金装置１０１の内部に繰り出された紙幣の金種、真偽、正損等の識別を行う入金識別部１２０が設けられており、当該入金識別部１２０により紙幣毎に入金の可否が判定されるようになっている。また、入金識別部１２０には入金搬送部１２２が接続されており、入金識別部１２０により識別が行われた紙幣は入金搬送部１２２により搬送されるようになっている。また、入金搬送部１２２の下端部には出金識別部１２４が設けられているとともに、この出金識別部１２４には出金搬送部１２３が接続されており、出金搬送部１２３の下流側端部（上端部）は上記の識別搬送部１２１に接続されている。
【００８８】
図１６に示すように、紙幣入金口１０４に設けられた入金繰り込み部１１５の下方位置には紙幣出金部１２５が設けられるとともに、この紙幣出金部１２５の直下位置にはリジェクト箱１２６が設けられている。紙幣出金部１２５に送られた紙幣は紙幣出金口１０５から取り出すことができるようになっている。また、リジェクト箱１２６は、上面が開放されたトレイ状の収納カセットからなり、筐体１０３の前面に設けられた前扉１１２を開くことにより外部に引き出すことができるようになっている。また、リジェクト箱１２６の下方位置には紙幣の回収カセット１２７が設けられている。回収カセット１２７は、筐体１０３の前面に設けられた前扉１１２を開くことにより出し入れ可能となっている。
【００８９】
入金搬送部１２２に対して筐体１０３の奥側には、最高額紙幣（例えば、日本国が発行する一万円紙幣）の収納および１枚ずつの繰り出しを行うことができる最高額紙幣収納部１３４が最上位に配設されている。また、最高額紙幣収納部１３４の下方には、最高額紙幣以外の紙幣（例えば、日本国が発行する五千円紙幣および千円紙幣）を金種毎に収納するとともに１枚ずつの繰り出しを行うことができる２つの金種別収納部１３５（五千円紙幣用）、１３６（千円紙幣用）がそれぞれ設けられている。
【００９０】
また、紙幣入出金装置１０１には制御部１６０が設けられており、当該制御部１６０は、金銭登録機１１１からの指令に基づいて、入金処理や出金処理等の各処理を行うよう紙幣入出金装置１０１の各構成部材を制御するようになっている。また、紙幣入出金装置１０１に設けられた操作表示機構１０８（具体的には、入力用操作キー群１０６および２つの操作表示部１０７ａ、１０７ｂ）は制御部１６０に通信可能に接続されており、入力用操作キー群１０６や右側の操作表示部１０７ｂによる操作者の指令が制御部１６０に送られるとともに、制御部１６０は各操作表示部１０７ａ、１０７ｂに指令を送ることによりこれらの操作表示部１０７ａ、１０７ｂにおける表示内容を制御するようになっている。
【００９１】
次に、硬貨入出金装置１０２の内部構成の詳細について述べる。図１６に示すように、硬貨入金口１０９には回転円盤等からなる入金繰り込み部１６１が設けられており、硬貨入金口１０９に投入された硬貨は入金繰り込み部１６１により硬貨入出金装置１０２の内部に１枚ずつ繰り出されるようになっている。また、硬貨入出金装置１０２の内部には、入金繰り込み部１６１により硬貨入出金装置１０２の内部に繰り出された硬貨の金種、真偽、正損等の識別を行う入金識別部１６２が設けられており、当該入金識別部１６２により硬貨毎に入金の可否が判定されるようになっている。また、入金識別部１６２により入金可と判断された硬貨は硬貨通路からなる一括一時保留部１６３へ順番に一列状態で一時的に保留されるようになっている。
【００９２】
一括一時保留部１６３に一時的に保留された硬貨を収納する場合は、外径の小さい順に並ぶ金種別収納部１６４（例えば、日本国が発行する１円硬貨用、５円硬貨用、５０円硬貨用、１００円硬貨用、１０円硬貨用、５００円硬貨用の順）に対して入金搬送部１６５により金種別に硬貨が収納され、対応する金種別収納部１６４がフル状態またはニアフル状態となった場合には当該金種別収納部１６４から硬貨が繰り出されて出金搬送部１６７により回収カセット１６６に収納されるようになっている。また、一括一時保留部１６３に一時的に保留された硬貨を返却する場合や入金識別部１６２により入金不可と判定された硬貨は返却搬送部１６８により硬貨出金口１１０に送られる。また、硬貨入出金装置１０２において硬貨の出金処理が行われる場合は、金種別収納部１６４から硬貨が繰り出されて出金搬送部１６７により硬貨出金口１１０に送られる。
【００９３】
また、硬貨入出金装置１０２には制御部１６９が設けられており、当該制御部１６９は紙幣入出金装置１０１の制御部１６０に通信可能に接続されている。この制御部１６９は、金銭登録機１１１からの指令に基づいて、入金処理や出金処理等の各処理を行うよう硬貨入出金装置１０２の各構成部材を制御するようになっている。
【００９４】
金銭登録機１１１には、上記のカードリーダ１１４の他に、テンキーをはじめ入金、出金、返却、承認等の各種項目キーを有する操作部１７０と、金額や状態を表示する表示部１７１と、操作部１７０で入力された操作に基づいて販売額や振込額等の必要入金額を登録するとともに、貨幣入出金機１００（具体的には、上記の紙幣入出金装置１０１および硬貨入出金装置１０２）の制御部１６０、１６９に対して入金指令や出金指令等の各種指令を送る制御部１７２とを有している。
【００９５】
図１５および図１６に示すような変形例に係る貨幣入出金機１００では、上述したように２つの操作表示部１０７ａ、１０７ｂが設けられているとともに、貨幣の処理に関する情報が複数の操作表示部１０７ａ、１０７ｂに分割して表示されるようになっている。この場合には、操作表示部を１つしか設けない場合と比較して、複数の情報の各々に係る表示領域（例えば、ガイダンス画面に係る表示領域や操作ボタンに係る表示領域、貨幣の計数結果に係る表示領域等）のレイアウト配置が容易となるため操作表示部１０７ａ、１０７ｂの表示画面を見やすくすることができ、また、１つの操作表示部の表示画面を大きくした場合と比較して安価なものとすることができる。
【００９６】
また、図１５および図１６に示すような変形例に係る貨幣入出金機１００では、上述したように、操作表示部１０７ａ、１０７ｂは同一の形状および大きさとなっている。なお、本実施の形態ではこのような態様に限定されることはなく、操作表示部１０７ａ、１０７ｂの形状や大きさが互いに異なるようになっていてもよい。また、図１５および図１６に示すような変形例に係る貨幣入出金機１００においては、上述したように、各操作表示部１０７ａ、１０７ｂは並列に配置されている。なお、本実施の形態ではこのような態様に限定されることはなく、各操作表示部１０７ａ、１０７ｂの配置方法が並列以外のものとなっていてもよい。
【００９７】
また、図１５および図１６に示すような変形例に係る貨幣入出金機１００では、図１７に示すように、複数の操作表示部１０７ａ、１０７ｂのうち少なくとも１つの操作表示部（例えば、左側の操作表示部１０７ａ）に、売上金としての貨幣の入金処理に関する情報が表示されるとともに、他の少なくとも１つの操作表示部（例えば、右側の操作表示部１０７ｂ）に、釣銭準備金としての貨幣の出金処理に関する情報が表示されるようになっていてもよい。より詳細には、金銭登録機１１１の制御部１７２において、釣銭準備金における金種毎の貨幣の出金枚数が予め登録されており、貨幣入出金機１００から釣銭準備金としての貨幣が出金される際に制御部１７２に登録された金種毎の枚数構成に基づいて紙幣入出金装置１０１や硬貨入出金装置１０２から紙幣や硬貨が払い出されるようになる。このように、操作表示部１０７ａ、１０７ｂにおいて貨幣の入金処理に関する情報および出金処理に関する情報が左右に並べて表示されるようになっている場合には、操作者は貨幣入金機１における貨幣の入出金処理に関する情報を直感的に理解しやすくなる。
【００９８】
また、上記の説明では、左側の操作表示部１０７ａは例えばモニタから構成されるのに対し、右側の操作表示部１０７ｂは例えばタッチパネルから構成されているような態様について説明したが、このような態様に限定されることはない。他の態様として、左側の操作表示部１０７ａが例えばタッチパネルから構成されることによって操作者により操作可能となっていてもよい。更には、両方の操作表示部１０７ａ、１０７ｂ（操作表示部が３つ以上設けられている場合には複数または全ての操作表示部）をタッチパネルで構成してもよく、その場合には各処理について操作表示部１０７ａ、１０７ｂによる操作や表示のバリエーションを増やすことができる。
【００９９】
また、本発明による有価媒体処理装置は、貨幣の処理を行うものに限定されることはなく、貨幣以外の有価媒体（例えば、小切手や商品券等の有価証券）の処理を行うものであってもよい。このような有価媒体処理装置にも本発明の原理を適用することができる。また、本発明による有価媒体処理装置が貨幣および貨幣以外の有価媒体の両方の処理を行うことができるものである場合において、図１８に示すように、複数の操作表示部のうち少なくとも１つの操作表示部（例えば、図１８における左側の操作表示部）に、貨幣の処理（例えば、貨幣の入金処理）に関する情報が表示されるようになっており、他の少なくとも１つの操作表示部（例えば、図１８における右側の操作表示部）に、貨幣以外の有価媒体の処理（例えば、有価媒体の入金処理）に関する情報が表示されるようになっていてもよい。この場合には、操作者は有価媒体処理装置における貨幣および貨幣以外の有価媒体の処理に関する情報を直感的に理解しやすくなる。
【符号の説明】
【０１００】
１        貨幣入金機
１ａ      筐体
１ｂ、１ｃ  扉
２        上部カバー
２ｐ      軸
４        支持部
４ｐ      軸
１０      硬貨入金装置
１２      投入部
１２ａ    シャッタ
１３      回転盤
１４      搬送部
１４ａ    搬送ベルト
１４ｂ、１４ｃ  プーリ
１６      識別部
１８      振分機構
２０      開口
２２      一時保留用シュート
２４      リジェクト用シュート
２６      一時保留部
２８      リジェクト部
３０      硬貨返却箱
３０ａ    把持部分
３１      ロック部
３２      収納用シュート
４０      硬貨収納カセット
５０      紙幣入金装置
５２      投入部
５２ａ    シャッタ
５４      繰出機構
５６      搬送部
５８      識別部
６０      分岐部
６２      リジェクト部
６４      一時保留部
６５      扉ロック部
７０      紙幣収納カセット
８０      本体制御部
８１      硬貨制御部
８２      紙幣制御部
８４      印字部
８６、８８  操作表示部
８９      操作キー
９０      読取部
９２      記録媒体
９２ａ    記憶部
９４      記憶部
９８      通信インターフェース部
１００    貨幣入出金機
１０１    紙幣入出金装置
１０２    硬貨入出金装置
１０３    筐体
１０４    紙幣入金口
１０５    紙幣出金口
１０６    入力用操作キー群
１０７ａ、１０７ｂ  操作表示部
１０８    操作表示機構
１０９    硬貨入金口
１１０    硬貨出金口
１１１    金銭登録機
１１２    前扉
１１３    キー孔
１１４    カードリーダ
１１５    入金繰り込み部
１２０    入金識別部
１２１    識別搬送部
１２２    入金搬送部
１２３    出金搬送部
１２４    出金識別部
１２５    紙幣出金部
１２６    リジェクト箱
１２７    回収カセット
１３４    最高額紙幣収納部
１３５、１３６  金種別収納部
１６０    制御部
１６１    入金繰り込み部
１６２    入金識別部
１６３    一括一時保留部
１６４    金種別収納部
１６５    入金搬送部
１６６    回収カセット
１６７    出金搬送部
１６８    返却搬送部
１６９    制御部
１７０    操作部
１７１    表示部
１７２    制御部
２００    テーブル
【図１】
0006568704.tif 000002
【図２】
0006568704.tif 000003
【図３】
0006568704.tif 000004
【図４】
0006568704.tif 000005
【図５】
0006568704.tif 000006
【図６】
0006568704.tif 000007
【図７】
0006568704.tif 000008
【図８】
0006568704.tif 000009
【図９】
0006568704.tif 000010
【図１０】
0006568704.tif 000011
【図１１】
0006568704.tif 000012
【図１２】
0006568704.tif 000013
【図１３】
0006568704.tif 000014
【図１４】
0006568704.tif 000015
【図１５】
0006568704.tif 000016
【図１６】
0006568704.tif 000017
【図１７】
0006568704.tif 000018
【図１８】
0006568704.tif 000019